(57)【要約】  少ない操作で効率的に任意のウェブサイトを閲覧する。  サーバ装置から提供されるコンテンツを再生する携帯端末装置であって、複数の選択項目の少なくとも一部を、予め特定した項目選択位置を含めて配列して表示し（Ｓ１０３）、表示した複数の選択項目中の１つを項目選択位置に移動させる操作入力を受け付け（Ｓ１０４，Ｓ１０５）、受け付けた操作入力に基づき、複数の選択項目の配列関係を維持しながら、１つの選択項目を項目選択位置に移動して表示させ（Ｓ１０９，Ｓ１０８）、項目選択位置に移動して表示した選択項目に基づき、サーバ装置に対してコンテンツの送信を要求し、要求に応答して提供されるコンテンツを再生する（Ｓ１１１〜Ｓ１１３）。
2020110204.tif 000002
【特許請求の範囲】
【請求項１】
サーバ装置から提供されるコンテンツを再生する携帯端末装置であって、
複数の選択項目の少なくとも一部を、予め特定した項目選択位置を含めて配列して表示する表示部と、
前記表示部に配列して表示した複数の選択項目中の１つを前記項目選択位置に移動させる操作入力を受け付ける入力部と、
前記入力部で受け付けた操作入力に基づき、前記複数の選択項目の配列関係を維持しながら、１つの選択項目を前記項目選択位置に移動して表示させる表示制御部と、
前記表示制御部で前記項目選択位置に移動して表示した選択項目に基づき、前記サーバ装置に対してコンテンツの送信を要求し、当該要求に応答して前記サーバ装置から提供されるコンテンツを再生する再生制御部と、
を備える携帯端末装置。
【請求項２】
前記入力部は、前記表示部に配列して表示された複数の選択項目中の１つを前記項目選択位置に移動させるスライド操作及びタップ操作の少なくとも一方を受け付ける、請求項１記載の携帯端末装置。
【請求項３】
前記表示制御部により前記表示部で配列して表示する複数の選択項目は、リング構造として移動に伴う表示位置をエンドレスに変化する、請求項１記載の携帯端末装置。
【請求項４】
現在位置を取得する取得部をさらに備え、
前記再生制御部は、前記表示制御部で前記項目選択位置に移動して表示した選択項目が現在位置に関連した項目であった場合に、前記サーバ装置に対して、前記取得部で取得した現在位置の情報を付加して、コンテンツの送信を要求し、当該要求に応答して前記サーバ装置から提供されるコンテンツを再生する、
請求項１記載の携帯端末装置。
【請求項５】
前記サーバ装置から提供されるコンテンツは、現在位置を中心とした地図情報を含む、請求項４記載の携帯端末装置。
【請求項６】
サーバ装置から提供されるコンテンツを再生する携帯端末装置での表示操作方法であって、
複数の選択項目の少なくとも一部を、予め特定した項目選択位置を含めて配列して表示する表示工程と、
前記表示工程で配列して表示した複数の選択項目中の１つを前記項目選択位置に移動させる操作入力を受け付ける入力工程と、
前記入力工程で受け付けた操作入力に基づき、前記複数の選択項目の配列関係を維持しながら、１つの選択項目を前記項目選択位置に移動して表示させる表示制御工程と、
前記表示制御工程で前記項目選択位置に移動して表示した選択項目に基づき、前記サーバ装置に対してコンテンツの送信を要求し、当該要求に応答して前記サーバ装置から提供されるコンテンツを再生する再生制御工程と、
を有する表示操作方法。
【請求項７】
サーバ装置から提供されるコンテンツを再生する携帯端末装置が内蔵したコンピュータが実行するプログラムであって、前記コンピュータを、
複数の選択項目の少なくとも一部を、予め特定した項目選択位置を含めて配列して表示する表示部と、
前記表示部で配列して表示した複数の選択項目中の１つを前記項目選択位置に移動させる操作入力を受け付ける入力部と、
前記入力部で受け付けた操作入力に基づき、前記複数の選択項目の配列関係を維持しながら、１つの選択項目を前記項目選択位置に移動して表示させる表示制御部と、
前記表示制御部で前記項目選択位置に移動して表示した選択項目に基づき、前記サーバ装置に対してコンテンツの送信を要求し、当該要求に応答して前記サーバ装置から提供されるコンテンツを再生する再生制御部と、
して機能させるプログラム。
【発明の詳細な説明】
【技術分野】
【０００１】
本発明は、例えばスマートフォンなどに好適な携帯端末装置、表示操作方法及びプログラムに関する
【背景技術】
【０００２】
ＹＡＨＯＯ！ＪＡＰＡＮ（登録商標）［https://www.yahoo.co.jp/］などのインターネット検索サイトにおいて、任意のウェブサイトを閲覧するためには、トップページから階層化されたカテゴリを順次選択していくカテゴリ検索や、検索語を入力するキーワード検索などを行なうことで、最終的にユーザが所望するウェブサイトに到達する。【０００３】
前述した如く、カテゴリ検索では、階層化されたカテゴリを順次選択していく操作が必要となる。また、前記キーワード検索では、適切なキーワードを選択して入力し、検索結果の中から、ユーザ自身が必要なウェブサイトを選択する必要がある。【０００４】
このように、多くのコンテンツを提供するウェブサイト内で、ユーザが所望するサイトに、簡易に到達する手段が模索されていた。
【発明の概要】
【０００５】
本発明は前記のような実情に鑑みてなされたもので、その目的とするところは、少ない操作で効率的に任意のウェブサイトを閲覧することが可能な携帯端末装置、表示操作方法及びプログラムを提供することにある。
【０００６】
本発明の一態様は、サーバ装置から提供されるコンテンツを再生する携帯端末装置であって、複数の選択項目の少なくとも一部を、予め特定した項目選択位置を含めて配列して表示する表示部と、前記表示部に配列して表示された複数の選択項目中の１つを前記項目選択位置に移動させる操作入力を受け付ける入力部と、前記入力部で受け付けた操作入力に基づき、前記複数の選択項目の配列関係を維持しながら、１つの選択項目を前記項目選択位置に移動して表示させる表示制御部と、前記表示制御部で前記項目選択位置に移動して表示した選択項目に基づき、前記サーバ装置に対してコンテンツの送信を要求し、当該要求に応答して前記サーバ装置から提供されるコンテンツを再生する再生制御部と、を備える。
【図面の簡単な説明】
【０００７】
【図１】図１は、一実施形態のシステム全体の構成を示す図である。
【図２】図２は、同実施形態に係る携帯端末装置側で実行されるウェブブラウザの一部の処理内容を抽出して示すフローチャートである。
【図３】図３は、同実施形態に係る携帯端末装置での初期表示画面の例を示す図である。
【図４】図４は、同実施形態に係る携帯端末装置での表示画面中の複数のアプリケーションチャンネルの関係例を示す図である。
【図５】図５は、同実施形態に係る携帯端末装置での表示画面の遷移例を示す図である。
【図６】図６は、同実施形態に係る携帯端末装置での表示画面の遷移例を示す図である。
【発明を実施するための形態】
【０００８】
以下、本実施形態を、ウェブサイトを閲覧可能なインターネットシステムに適用した場合の一実施形態について、図面を参照して詳細に説明する。
【０００９】
図１は、ポータルサイトを提供する企業が運営するウェブサーバＳＶと、一般のユーザが所持する携帯端末装置としてのスマートフォンＳＰとが、インターネット網や携帯電話通信網を構成する基地局などを含んだネットワークＮＷを介して接続されている状態を例示する図である。
【００１０】
また、スマートフォンＳＰには、ウェブサーバＳＶで提供するポータルサイトがトップページとなるように設定されたウェブブラウザが、予めインストールされているものとする。
【００１１】
また、スマートフォンＳＰは、ＧＰＳ（Ｇｌｏｂａｌ  Ｐｏｓｉｔｉｏｎｉｎｇ  Ｓｙｓｔｅｍ：全地球測位システム）に対応した受信回路を内蔵しており、三次元空間での現在位置（緯度／経度／高度）の情報と原子時計による現在時刻の情報を取得できる。これらの情報は、ネットワークＮＷの一部を構成する最寄りの基地局と相互接続処理を行なう際にも用いられる。
【００１２】
なお、スマートフォンＳＰ及びウェブサーバＳＶの各ハードウェア回路の具体的な構成自体は、それぞれ一般的な周知のものと同様であるとして、それらの図示と説明とを省略する。
【００１３】
次に前記実施形態の動作について説明する。  
なお、スマートフォンＳＰに予めインストールされているウェブブラウザには、ウェブサーバＳＶが提供するポータルサイトがホームページとなるように予め設定されているものとする。
【００１４】
図２は、スマートフォンＳＰでウェブブラウザが起動された時点から、スマートフォンＳＰ内のプロセッサが実行する、特にカテゴリチャンネル（図中では「カテゴリｃｈ」）の選択操作に関する処理内容の一部を抽出して示すフローチャートである。
【００１５】
その当初にスマートフォンＳＰのプロセッサは、ネットワークＮＷを介してウェブサーバＳＶに、ホームページとして登録しているポータルサイトのトップページのＵＲＬを用いて、初期画面情報の送信を要求する（ステップＳ１０１）。
【００１６】
この要求に対して、ウェブサーバＳＶが応答して、当該ポータルサイトのトップページを表示するための情報を送信し、スマートフォンＳＰで受信する（ステップＳ１０２）。
【００１７】
スマートフォンＳＰでは、受信した情報により、ウェブサーバＳＶが提供するポータルサイトのトップページを構成する、大見出し（カテゴリチャンネル（ｃｈ）の一部）、中見出し（選択したカテゴリチャンネル（ｃｈ）内の項目）を含む画像を、タッチパネル機能を有するディスプレイで表示する（ステップＳ１０３）。
【００１８】
図３（Ａ）は、このときスマートフォンＳＰのディスプレイＤＳで表示される、ホームページの画面を例示する図である。画面の下端において下見出しＵＴを、その直上部において大見出しＢＴを、そして画面の上端寄りにおいて中見出しＭＴを、それぞれ表示している。
前記大見出しＢＴは、片手で操作可能なスマートフォンＳＰを考慮して、ディスプレイＤＳの下部側に配置することで、スマートフォンＳＰを片手で把持した場合に、容易に親指でスライド、タップ等の操作を行なえるものとしている。
【００１９】
加えて、中央を含む画面の大部分においては、その時点で選択されているカテゴリチャンネルとその中の項目名に対応したメインイメージＭＩを表示している。
【００２０】
中見出しＭＴ上の画面上端近傍においては、その時点で選択しているデフォルトのカテゴリチャンネルである、本日以降の催し物をお知らせする選択カテゴリチャンネル「ＴＯＤＡＹ」のタイトル名ＴＬを表示している。
【００２１】
図３（Ｂ）に示すように、中見出しＭＴにおいては、その時点で選択されているタイトル名ＴＬの選択カテゴリチャンネル「ＴＯＤＡＹ」内の項目名「トピックス」「今・ここ」「ニュース」「ランキング」を列挙すると共に、その時点で「トピックス」が選択されていることをスライドバーと合わせて表示している。
【００２２】
また図３（Ｃ）に示すように、画面下端の下見出しＵＴにおいては、そもそもの設定変更等を含む総合的な選択項目として、グローバルナビゲーションの選択項目名「ホーム」「お知らせ」「マイノート」「マイ設定」を列挙すると共に、その時点で「ホーム」が選択されていることを他と識別して表示する。
【００２３】
図４（Ａ）は、前記大見出しＢＴに一部が表示されている、複数、例えば２０個のカテゴリチャンネル名とその配列関係とを例示する図である。前記図３（Ａ）においては、そのうちの一部、５つのカテゴリチャンネルを表示しており、且つその中央枠ＣＦにカテゴリチャンネル「ＴＯＤＡＹ」が位置している状態を例示している。
【００２４】
図４（Ｂ）でも示すように、前記複数のカテゴリチャンネルは、リング構造の配列関係を有し、スマートフォンＳＰのユーザが大見出しＢＴ部分を横方向にスライド操作した場合に、そのスライド操作時の速度と量とに応じて、大見出しＢＴで表示する範囲を循環的にエンドレスでスライド移動させるように制御される。
前記大見出しＢＴは、片手で操作可能なスマートフォンＳＰに合わせて、ディスプレイＤＳの下部側に配置して、片手、特に親指での操作性を確保することが望ましい。
【００２５】
大見出しＢＴの中央枠ＣＦは、位置が固定であり、前記スライド操作により移動してきたカテゴリチャンネルが中央枠ＣＦに位置した時点で、そのカテゴリチャンネルがユーザが選択したカテゴリチャンネルであるものと仮定して、ウェブサーバＳＶとの通信により、前記タイトル名ＴＬ、中見出しＭＴ、及びメインイメージＭＩの内容を自動的に更新表示するものとする。
【００２６】
加えて本実施形態では、大見出しＢＴに表示している、中央枠ＣＦ以外のカテゴリチャンネルの１つをタップ操作した場合に、その操作したカテゴリチャンネルを選択したものとして、中央枠ＣＦ位置に移動するようにカテゴリチャンネルの表示範囲をスライド移動させると共に、新たに中央枠ＣＦの位置に移動したカテゴリチャンネルに対応するべく、ウェブサーバＳＶとの通信により、前記タイトル名ＴＬ、中見出しＭＴ、及びメインイメージＭＩの内容を自動的に更新表示する。
【００２７】
スマートフォンＳＰ内のプロセッサは、前記図３（Ａ）に示したディスプレイＤＳでの表示状態から、大見出しＢＴの表示範囲内でのスライド操作がなされたか否か（ステップＳ１０４）、あるいはタップ操作がなされたか否か（ステップＳ１０５）、あるいはその時点で選択されているカテゴリチャンネルの表示内容に関してメインイメージＭＩ内での操作がなされたか否か（ステップＳ１０６）を繰り返し判断することで、これらの何れかの操作がユーザによりなされるのを待機する。
【００２８】
前記ステップＳ１０６において、表示中のメインイメージＭＩ内での操作がなされたと判断した場合（ステップＳ１０６のＹｅｓ）、プロセッサは、メインイメージＭＩ内の操作された位置に対応した情報をウェブサーバＳＶに送信した上で（ステップＳ１０７）、以後、応答してウェブサーバＳＶから送信されてくる画像情報等に応じて、当該カテゴリチャンネル内の表示処理等を続行する。本実施形態では、その後の処理については説明を省略するものとする。
【００２９】
また前記ステップＳ１０５において、大見出しＢＴの表示範囲内でタップ操作がなされたと判断した場合（ステップＳ１０５のＹｅｓ）、プロセッサは、そのタップ操作されたカテゴリチャンネルを中央枠ＣＦの位置に移動させるべく、カテゴリチャンネルの表示範囲をスライド移動させる（ステップＳ１０８）。
【００３０】
また前記ステップＳ１０４において、大見出しＢＴの表示範囲内でスライド操作がなされたと判断した場合（ステップＳ１０４のＹｅｓ）、プロセッサは、そのスライド操作された量と速さに応じた初速から徐々に速度が低下するように、大見出しＢＴの表示範囲内で表示するカテゴリチャンネルをスライド移動させ、最終的にスライド移動を停止させる（ステップＳ１０９）。
【００３１】
プロセッサは、前記ステップＳ１０８において、タップ操作により中央枠ＣＦに移動させたカテゴリチャンネル、あるいは、前記ステップＳ１０９において、スライド操作に応じたカテゴリチャンネルをスライド移動させて、最終的に停止した状態で中央枠ＣＦに位置したカテゴリチャンネルが、前記図４でも示した「今すぐ」であるか否かを判断する（ステップＳ１１０）。
【００３２】
中央枠ＣＦに位置したカテゴリチャンネルが「今すぐ」ではなかった場合（ステップＳ１１０のＮｏ）、プロセッサは、中央枠ＣＦに位置する選択されたカテゴリチャンネルの画面情報の送信要求を、ウェブサーバＳＶに対して送信する（ステップＳ１１２）。
【００３３】
この送信要求に応答して、ウェブサーバＳＶから、選択されたカテゴリチャンネルの画面情報を受信すると（ステップＳ１１３）、受信した情報に基づいて前記ステップＳ１０３に進み、新たに選択したカテゴリチャンネルでの画面表示を実行する。
【００３４】
また前記ステップＳ１１０において、中央枠ＣＦに位置したカテゴリチャンネルが「今すぐ」であった場合（ステップＳ１１０のＹｅｓ）、プロセッサは、ＧＰＳ受信回路により取得される、現在位置の情報と現在時刻の情報と共に、カテゴリチャンネル「今すぐ」の画面情報の送信要求を、ウェブサーバＳＶに対して送信する（ステップＳ１１１）。
【００３５】
この送信要求に応答して、ウェブサーバＳＶから、選択されたカテゴリチャンネル「今すぐ」の画面情報を受信すると（ステップＳ１１３）、受信した情報に基づいて前記ステップＳ１０３に進み、選択したカテゴリチャンネル「今すぐ」での画面表示を実行する。
【００３６】
図５及び図６は、選択したカテゴリチャンネル「今すぐ」における画面の具体的な遷移状態を例示する図である。これら画面の遷移状態においては、ディスプレイＤＳのタッチ操作等の位置情報をスマートフォンＳＰがウェブサーバＳＶに対して送信することで、ウェブサーバＳＶが応答し、新たな画面情報をスマートフォンＳＰに提供してディスプレイＤＳに表示させる処理が継続して実行される。
【００３７】
図５（Ａ）に示すように、前記図３（Ａ）でも示したカテゴリチャンネル「ＴＯＤＡＹ」をディスプレイＤＳで表示した状態から、スライド操作またはタップ操作により中央枠ＣＦにカテゴリチャンネル「今すぐ」が位置すると、図５（Ｂ）に示すように新たなカテゴリチャンネル「今すぐ」に応じた画面が表示される。
【００３８】
図５（Ｂ）は、このときスマートフォンＳＰのディスプレイＤＳで表示される画面を例示する図である。大見出しＢＴにおいて中央枠ＣＦの位置に「今すぐ」が表示されており、中見出しＭＴにおいて「今・ここ」がデフォルトで選択された状態を例示している。
【００３９】
メインイメージＭＩにおいては、現在位置と現在時刻とに応じた、映画、演劇、舞台公演等の催し物を、現在位置から近い順に紹介する表示画面となっている。このメインイメージＭＩの右上に位置する、条件を変更するための同心円状のアイコンＴＰ０をタップ操作することで、図５（Ｃ）に示すように、日付と場所とを変更する画面に遷移できる。
【００４０】
図５（Ｃ）において、日付と、場所、及び表示するジャンルを変更することができ、デフォルトの状態では、日付が「今日」、場所が「現在地周辺」、ジャンルが「全てのジャンル」となっている状態を示している。
【００４１】
ここで場所を変更するべく、場所を示すタッチエリアＴＰ１をタップ操作すると、その操作に応じた送信要求に応答して、とりあえず現在地を中心とした周辺の地図情報がウェブサーバＳＶからスマートフォンＳＰに提供される。
【００４２】
図６（Ａ）は、このときディスプレイＤＳで表示される、現在位置を中心とした周辺の地図情報を例示する図である。画面の上端近傍で現在地の住所「東京都杉並区〜」が表示されると共に、以下の画面の大部分を用いて、その時点で選択しているジャンルの催し物等や主要な建造物等の位置をポイント指示するシンボルマークを含んだ地図が表示される。
【００４３】
加えて、地図の上部において都市の選択を促す表示、地図の下部において「この場所で確定する」ガイドメッセージによる場所確定を促す表示を実行している。
【００４４】
ここで都市の選択を促す表示を示すタッチエリアＴＰ２をタップ操作すると、実際に都市を選択する画面に遷移する。
【００４５】
図６（Ｂ）は、ディスプレイＤＳの画面下部において、都道府県名＋市区町村の組合わせで作成したリストの一部を選択可能に表示している状態を例示している。ここでは、リストの一部を表示しており、中央の都道府県名＋市区町村名を隣接するその他と識別して表示することで、中央に表示している都道府県名＋市区町村名に対するタップ操作による選択と、表示しているリスト範囲の上下スライド操作による移動とを促している。
【００４６】
この図６（Ｂ）の表示状態から、リスト中央の「神奈川県  主要部」の下側に位置している「東京都  渋谷区」を一旦中央にスライド操作により移動させた上で、あらためてこのタッチエリアＴＰ３において、中央の「東京都  渋谷区」をタップ操作することで、都市を選択する操作がなされたものとして、次にその選択された都市の地図表示に遷移する。
【００４７】
図６（Ｃ）は、スマートフォンＳＰのディスプレイＤＳ上で「東京都  渋谷区」を中心とした地図を表示した状態を例示している。リストからの選択操作により「東京都  渋谷区」が選択されたことをスマートフォンＳＰから受信したウェブサーバＳＶでは、その選択された市区町村別に地図の中心位置座標となる緯度と経度を指定した上で地図情報を作成し、スマートフォンＳＰに提供する。
【００４８】
このように、カテゴリチャンネル「今すぐ」においては、現在地を含めて任意の位置の地図を簡易で直感的な操作によって表示させることができる。
【００４９】
なお、スマートフォンＳＰのプロセッサは、前記ステップＳ１０４において、大見出しＢＴの表示範囲内でスライド操作がなされたと判断した場合（ステップＳ１０４のＹｅｓ）、スライド操作の始めに中央枠ＣＦの位置に表示していたカテゴリチャンネルと、スライド操作された量と速さとから、スライド移動を停止させる時点で中央枠ＣＦに位置する、選択結果のカテゴリチャンネルの内容を、実際にスライド移動を停止させる表示を行なう前に算出することができる。
【００５０】
したがって、前述したウェブサーバＳＶへの画面情報の送信要求を、実際にスライド移動を停止させる表示を行なう前に先んじて実行することにより、その送信要求に応答してウェブサーバＳＶから提供される画面情報を受信し、ディスプレイＤＳに表示させる処理は、通信状況によっても左右されるが、スライド移動が停止する表示を行なった時点から、ほとんどタイムラグを生じずに実行することができ、スマートフォンＳＰのユーザに違和感を与えることなく、操作に応じたスムーズな画面の遷移を実現できる。
【００５１】
以上詳述した如く本実施形態によれば、少ない操作で効率的に任意のウェブサイトを閲覧することが可能となる。
【００５２】
特に本実施形態では、大見出しＢＴの表示範囲内でのスライド操作とタップ操作とにより、任意のカテゴリチャンネルを中央枠ＣＦの位置に移動させることで、当該カテゴリチャンネルを選択するものとしたので、きわめて直感的で理解し易い操作環境を実現できる。  
加えて、ディスプレイＤＳで表示する画面中の前記大見出しＢＴは、片手で操作可能なスマートフォンＳＰに合わせて、ディスプレイＤＳの下部側に配置するものとしたので、ユーザが親指のみで操作し易くすることができる。
【００５３】
また、前記大見出しＢＴに一部を表示する、複数のカテゴリチャンネルは、リング構造として表示位置を循環的にエンドレスに移動させるよう制御するものとしたので、多数のカテゴリチャンネルの一部のみしか大見出しＢＴに表示できない画面環境でも、前記スライド操作での操作性も勘案して、ユーザが誤った方向へのスライド操作を行なった場合などには、さらにその方向へのスライド操作を続行することで、結果として所望するカテゴリチャンネルが再度表われるなど、ユーザに余計なストレスを与えることなく、所望するカテゴリチャンネルを簡易に選択して貰うことができる。
【００５４】
さらに前記実施形態では、カテゴリチャンネル「今すぐ」のように、現在位置に関連した情報を含むカテゴリチャンネルの情報提供を希望する場合に、現在位置の情報を含めたウェブサーバＳＶへの送信要求を行なうことで、スマートフォンＳＰとウェブサーバＳＶとの間の通信処理を簡易化できる。
【００５５】
この点で、特に、現在位置に関連した情報を含むカテゴリチャンネルが、地図情報を含む情報提供を行なうものであった場合に、その効果が顕著であり、より効率的な情報サービスが提供できる。
【００５６】
なお前記実施形態では、携帯端末装置としてスマートフォンＳＰを用いる場合について説明したが、本発明は携帯端末装置の種類等を限定するものではなく、他にもタブレット端末や通信機能を有するモバイルタイプのパーソナルコンピュータ等にも同様に適用可能である。
【００５７】
その他、本願発明は、前記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、前記実施形態には種々の段階の発明が含まれており、開示される複数の構成要件における適当な組み合わせにより種々の発明が抽出され得る。
【図１】
2020110204.tif 000003
【図２】
2020110204.tif 000004
【図３】
2020110204.tif 000005
【図４】
2020110204.tif 000006
【図５】
2020110204.tif 000007
【図６】
2020110204.tif 000008
【国際調査報告】
2020110204.tif 000009
2020110204.tif 000010
2020110204.tif 000011